(57)【要約】      （修正有）【課題】ヒモで新聞雑誌などをきつく縛ることができる。そして、縛ったあとにヒモの輪ができるので、手で下げることができる縛り器を提供する。【解決手段】１．始めに物体をある程度の長さの余裕をもたせてヒモを結ぶ。２．棒状の本体（１）の先端にある手前側溝（２）と本体（１）の中ごろにあるフック（４）にヒモを掛ける。３．本体（１）を倒すことによりヒモを締め付ける。４．締めつけたヒモが緩ませないために、反対側溝（３）にヒモＡ部分（１０）を掛ける５．本体を回転させてヒモの交差部（１３）をねじる、そこを仮止めクリップ（７）などで仮止めする。６．フック（４）のロックを外してフック（４）を下げてヒモを外し、本体（１）を外す。７．仮止めクリップ（７）で仮止めしている状態のままヒモを結ぶ。８．仮止めクリップ（７）を外しながらヒモをさらに堅く結ぶ。【選択図】図６
2009137648.tif 000002
【特許請求の範囲】
【請求項１】
始めに物体をある程度の長さの余裕をもたせてヒモを結ぶ。
棒状の本体（１）の先端にある手前側溝（２）と本体（１）の中ごろにあるフック（４）にヒモを掛ける。
そして、本体（１）を倒すことによりヒモを締め付けることを特徴とする新聞雑誌縛り器。
【請求項２】
締めつけたヒモが緩ませないために、ヒモＡ部分（１０）を手前側溝（２）の反対側にある反対側溝（３）に掛けることを特徴とする請求項１記載の新聞雑誌縛り器。
【請求項３】
本体（１）を回転させてヒモの交差部（１３）をネジリ、そこをクリップなどで仮止めすることを特徴とする請求項２記載の新聞雑誌縛り器。
【請求項４】
仮止め用のクリップで押さえ部分の先が二股（８）、またはＵ字型（９）になっていることを特徴とす請求項３記載の新聞雑誌縛り器用仮止めクリップ。
【請求項５】
仮止め用のクリップで、押さえ部分の二股（８）、またはＵ字型（９）に弾性を持たせていることを特徴とする請求項４記載の新聞雑誌縛り器用仮止めクリップ。
【発明の詳細な説明】
【技術分野】
【０００１】  本発明は、新聞、雑誌、ダンボール、その他いろいろなものをヒモできつく縛るための器具に関するものである。
【背景技術】
【０００２】ヒモで新聞、雑誌などを手で縛る場合きつく締めつけるのが難しい。
せっかくきつく締めつけても、ヒモを結ぶ時にゆるんでしまう。
【発明の開示】
【発明が解決しようとする課題】
【０００３】  いかにして、ヒモをきつく締めるか。
いかにして、きつく締めた状態のままヒモを結ぶか。
【課題を解決するための手段】
【０００４】  始めに物体をある程度の長さの余裕をもたせてヒモを結ぶ。
棒状の本体（１）の先端にある手前側溝（２）と本体（１）の中ごろにあるフック（４）にヒモを掛ける。
そして、本体（１）を倒すことによりヒモを締め付ける。【０００５】  締めつけたヒモが緩ませないために、ヒモＡ部分（１０）を手前側溝（２）の反対側にある反対側溝（３）に掛ける。これで本体を、どの角度に傾けてもヒモはゆるまない。【０００６】  本体（１）を回転させてヒモの交差部（１３）をネジリ、そこを仮止めクリップ（７）などで仮止めする。【０００７】  フック（４）のロックを外してフック（４）を下げてヒモを外し、本体（１）を外す。【０００８】仮止めクリップ（７）で仮止めしている状態のままヒモを結ぶ。
仮止めクリップ（７）を外しながらヒモをさらに堅く結ぶ。
以上で、新聞雑誌などをヒモできつく締め付けて結ぶことができた。
【発明の効果】
【０００９】  本器具を使用することによりヒモで新聞雑誌などをきつく縛ることができる。
そして、縛ったあとにヒモの輪ができるので、手で下げることができる。
【発明を実施するための最良の形態】
【００１０】  以下、本発明の実施の形態を図面に基づき詳細に説明する。
図１〜３は新聞雑誌縛り器の形態についての図である。
本体（１）の先にヒモを通す手前側溝（２）とその反対に反対側溝（３）がある。
その間には切れ込み（１２）がある。
フック（４）は、フック連結用ピン（６）で本体（１）に連結されていて、スライドすることができる。【００１１】図４〜５は仮止めクリップ（７）の形態についての図である。
図４は仮止めクリップ（７）の分解図である。先端でヒモを挟むようにできている。片方の押さえは、ねじったヒモの交差部（１３）が押さえやすいように二股の押さえ（８）になっている。【００１２】図５は仮止めクリップ（７）の押さえ部分の図である。ねじったヒモの交差部（１３）が押さえやすいように先端がＵ字タイプの押さえ（９）になっている。【００１３】    以下、図面をもって使用方法を説明する。
まず、第一にヒモをきつく締め付ける行程にうつる。
新聞雑誌（１１）などを、ある程度の長さの余裕をもたせてヒモを結ぶ。そして、図６のように手前側溝（２）にヒモを通し、フック（４）にヒモを引っかける。以上で準備完了である。【００１４】  次に、図７のように本体（１）を倒す。すると、ヒモが引っ張られ新聞雑誌（１１）を締め付ける。このときヒモの締め付け具合を見て、フック（４）に引っかけているヒモの位置を上下に調整する。【００１５】  次に、本体（１）を倒したら、ヒモＡ部分（１０）を反対側溝（３）に引っかける。
この時本体（１）は、リフト用突起（５）により持ち上がっているのでヒモＡ部分（１０）が反対側溝（３）に引っかけ安くなっている。【００１６】  これで本体（１）を、どの角度に傾けてもヒモはゆるまない。
以上で新聞雑誌（１１）をヒモできつく締め付けることができた。【００１７】次に、ヒモできつく締め付けたまま本体（１）を外すための行程にうつる。
まず、図８のように、ヒモの交差部（１３）が切れ込み（１２）の中央に来るように本体（１）を傾けて調整する。【００１８】次に図９のように、本体（１）を数回回転させて、ヒモの交差部（１３）をねじる。
このことによりヒモが緩みにくくなる。
さらに本体を外してもヒモが緩まないよう図１０のように、ねじっているヒモの交差部（１３）を仮止めクリップ（７）で仮止めする。【００１９】なお、仮止めクリップ（７）の二股の押さえ（８）は、先端が二股になっているので、ねじれたヒモの交差部（１３）が緩みにくくなっている。【００２０】次に、本体（１）を外すため図１０のようにフック（４）を横にずらしてロックを外し、フック（４）全体を下にずらしヒモを外し、本体（１）を外す。
以上で、ヒモをきつく締めたまま本体（１）を外すことができた。【００２１】次にヒモを結ぶ行程にうつる。
仮止めの状態からヒモを結ぶために、図１１のように仮止めクリップ（７）をしたまま、その上からヒモを結ぶ。
次に図１２のようになったらヒモを引っ張りながら仮止めクリップ（７）を外す。【００２２】なお、二股の押さえ（８）の二本の棒はなれべく細く、二本の棒がお互いに引き合う方向に曲がる素材がよい。なぜなら、１２図の状態の時二股の二本の棒がヒモを縛る力で内側に曲がった方が隙間が少なくなるから、仮止めクリップ（７）を外す時にヒモが緩みにくくなる。【００２３】以上で、新聞雑誌などをヒモできつく締め付けて結ぶことができた。
なお、余ったヒモが輪っか状になっているので手で提げることができる。
【産業上の利用可能性】
【００２４】本発明は一般家庭用品として製造、販売することができる。
【図面の簡単な説明】
【図１】新聞雑誌縛り器の斜視図である
【図２】図１とは違う方向からの新聞雑誌縛り器の斜視図である
【図３】本体先端部の断面斜視図である
【図４】仮止めクリップの分解図である
【図５】仮止めクリップの押さえが、Ｕ字のタイプの斜視図である。
【図６】本体をセットした状態の図である
【図７】本体を倒してヒモを締め、ヒモＡ部分（１０）を反対側溝（３）に掛けた状態の図である
【図８】ヒモを締めた状態の先端アップ図である
【図９】ヒモを締めた状態で本体を回転させた図である
【図１０】仮止めクリップ（７）で交差部を仮止めし、フック（４）を下げてヒモを外した図である
【図１１】本体を外してヒモを結んでいる図である。
【図１２】ヒモを結んで仮止めクリップを外す前の図である。
【符号の説明】
１      本体
２      手前側溝
３      反対側溝
４      フック
５      リフト用突起
６      フック連結用ピン
７      仮止めクリップ
８      二股タイプの押さえ
９      Ｕ字タイプの押さえ
１０    ヒモＡ部分
１１    新聞雑誌など
１２    切れ込み
１３    ヒモの交差部
【図１】
2009137648.tif 000003
【図２】
2009137648.tif 000004
【図３】
2009137648.tif 000005
【図４】
2009137648.tif 000006
【図５】
2009137648.tif 000007
【図６】
2009137648.tif 000008
【図７】
2009137648.tif 000009
【図８】
2009137648.tif 000010
【図９】
2009137648.tif 000011
【図１０】
2009137648.tif 000012
【図１１】
2009137648.tif 000013
【図１２】
2009137648.tif 000014